(57)【特許請求の範囲】
【請求項１】
開放された上端から下方に向かって順次にカール部、下方に向かって外径が漸次増大する肩部、雄螺条が形成されている雄螺条部及び係止あご部が配設されている口頸部を備えた金属薄板製容器と、金属薄板製シェル及び合成樹脂製ライナーから構成された容器蓋との組合せにして、
該シェルは天面壁及び該天面壁から垂下するスカート壁を有し、該スカート壁には周方向に延在する破断ラインが形成されていて該スカート壁は該破断ラインよりも上方の主部と該破断ラインよりも下方のタンパーエビデント裾部とに区画されており、
該容器の該口頸部に該容器蓋を被嵌し、該シェルの該天面壁と該スカート壁との境界領域を下方及び半径方向内方に没入せしめ、該シェルの該スカート壁の該主部に該口頸部の該雄螺条に対応して雌螺条を形成し、該シェルの該スカート壁の該タンパーエビデント裾部の下端部を半径方向内方に変位して該口頸部の該係止あご部に係止せしめることによって、該容器の口頸部に該容器蓋が装着されて該口頸部が密封される組合せにおいて、
該口頸部の該カール部の外周面はその上端に最大外径部位を有し、その全体に渡って下方に向かって外径が漸次減少する逆円錐台形状であり、
該ライナーは外周縁部から下方に垂下する環状密封突条を有し、該口頸部に該容器蓋を装着した状態において、該環状密封突条の内周面はその全体が該口頸部の該カール部の外周面に密接せしめられており、該環状密封突条の外周面と該シェルの該スカート壁との間には間隙が残留せしめられており、且つ該環状密封突条の下面は半径方向外方に向かって下方に傾斜せしめられている、ことを特徴とする組合せ。
【請求項２】
該ライナーの上面は少なくとも該環状密封突条が存在する外周縁部においては該シェルの該天面壁の内面に対して非接着状態である、請求項１記載の組合せ。
【発明の詳細な説明】
【技術分野】
【０００１】
本発明は、容器と容器蓋との組合せ、更に詳しくは金属薄板製容器と金属薄板製シェル及び合成樹脂製ライナーから構成された容器蓋との組合せに関する。
【背景技術】
【０００２】
下記特許文献１には、金属薄板製容器と金属薄板製シェル及び合成樹脂製ライナーから構成された容器蓋との組合せが開示されている。容器は、開放された上端から下方に向かって順次にカール部、下方に向かって外径が漸次増大する肩部、雄螺条が形成されている雄螺条部及び係止あご部が配設されている口頸部を備えている。カール部の断面形状は楕円形であり、カール部の外周面はその上下方向中間部位にて最大外径を有する。容器蓋のシェルは、天面壁及びこの天面壁から垂下するスカート壁を有し、スカート壁には周方向に延在する破断ラインが形成されていてスカート壁は破断ラインよりも上方の主部と破断ラインよりも下方のタンパーエビデント裾部とに区画されている。シェルの天面壁の内面に配設されているライナーは、外周縁部から下方に垂下する環状密封突条を有し、この環状密封突条の内周面下部は下方に向かって内径が漸次増大せしめられている。
【０００３】
容器の口頸部に容器蓋を装着して容器の口頸部を密封する際には、容器の口頸部に容器蓋を被嵌し、シェルの天面壁とスカート壁との境界領域を下方及び半径方向内側に没入せしめ、シェルのスカート壁の主部に口頸部の雄螺条に対応して雌螺条を形成し、そしてまたシェルのスカート壁のタンパーエビデント裾部の下端部を半径方向内方に変位して口頸部の係止あご部に係止せしめる。容器の口頸部に容器蓋を装着した状態において、ライナーの環状密封突条の内周面下部は、カールの最大外径部位を越えて半径方向内側に突出する。環状密封突条の下面は水平に延在せしめられている。ライナーの環状密封突条の外周面にはシェルのスカート壁の主部上端部が密接せしめられている。
【特許文献１】特開２００６−１８８２７９号公報
【発明の開示】
【発明が解決しようとする課題】
【０００４】
上述した通りの組み合わせにおいては、（１）容器の口頸部を開封する際には、破断ラインが破断された後に口頸部の密封が解除され（換言すれば破断ラインが破断されていないのに口頸部の密封が解除されてしまうことが確実に回避され）、かくしてタンパーエビデント特性（悪戯明示特性）が確保されていること、（２）容器の口頸部から容器蓋を、シェルのタンパーエビデント裾部を残留せしめて或いはタンパーエビデント裾部も残留せしめることなく、離脱して口頸部を開封する際の必要開封トルクが適切な値であること、及び（３）容器の口頸部から一旦離脱せしめた容器蓋を容器の口頸部に再装着して容器の口頸部を仮密封する際の必要仮密封トルクが適切な値であること、という条件が満足されることが重要である。
【０００５】
然るに、上記特許文献１に開示されている組合せにおいては、上記（１）の条件は満足され得るが、容器の口頸部に容器蓋を装着した状態において、ライナーの環状密封突条の内周面下部はカールの最大外径部位を越えて半径方向内側に突出し、環状密封突条の下面は水平に延在せしめられ、ライナーの環状密封突条の外周面にはシェルのスカート壁の主部上端部が密接せしめられていることに起因して、容器の口頸部を開封する際の必要開封トルクが過大になり、そしてまた容器の口頸部を仮密封する際の必要仮密封トルクも過大になり、上記条件（２）及び（３）が満足されない傾向がある。
【０００６】
本発明は上記事実に鑑みてなされたものであり、その主たる技術的課題は、上記条件（１）、（２）及び（３）のいずれをも満足する、即ち容器の口頸部を開封する際には、破断ラインが破断された後に口頸部の密封が解除され、必要開封トルク及び必要仮密封トルクが適切な値である、新規且つ改良された組合せを提供することである。
【課題を解決するための手段】
【０００７】
本発明者等は鋭意研究の結果、口頸部のカール部の外周面はその上端に最大外径部位を有し、その全体に渡って下方に向かって外径が漸次減少する逆円錐台形状であり、口頸部に容器蓋を装着した状態において、環状密封突条の内周面はその全体が口頸部の該カールの外周面に密接せしめられており、環状密封突条の外周面とシェルのスカート壁との間には間隙が残留せしめられており、且つ環状密封突条の下面は半径方向外方に向かって下方に傾斜せしめられている形態にすることによって、上記主たる技術的課題を達成することができることを見出した。
【０００８】
即ち、本発明によれば、上記主たる技術的課題を達成することができる組合せとして、開放された上端から下方に向かって順次にカール部、下方に向かって外径が漸次増大する肩部、雄螺条が形成されている雄螺条部及び係止あご部が配設されている口頸部を備えた金属薄板製容器と、金属薄板製シェル及び合成樹脂製ライナーから構成された容器蓋との組合せにして、
該シェルは天面壁及び該天面壁から垂下するスカート壁を有し、該スカート壁には周方向に延在する破断ラインが形成されていて該スカート壁は該破断ラインよりも上方の主部と該破断ラインよりも下方のタンパーエビデント裾部とに区画されており、
該容器の該口頸部に該容器蓋を被嵌し、該シェルの該天面壁と該スカート壁との境界領域を下方及び半径方向内方に没入せしめ、該シェルの該スカート壁の該主部に該口頸部の該雄螺条に対応して雌螺条を形成し、該シェルの該スカート壁の該タンパーエビデント裾部の下端部を半径方向内方に変位して該口頸部の該係止あご部に係止せしめることによって、該容器の口頸部に該容器蓋が装着されて該口頸部が密封される組合せにおいて、
該口頸部の該カール部の外周面はその上端に最大外径部位を有し、その全体に渡って下方に向かって外径が漸次減少する逆円錐台形状であり、
該ライナーは外周縁部から下方に垂下する環状密封突条を有し、該口頸部に該容器蓋を装着した状態において、該環状密封突条の内周面はその全体が該口頸部の該カール部の外周面に密接せしめられており（後に段落００２０において更に言及する如く、本願発明は、環状密接突条の内周面の軸線方向中間部において局部的に環状密封突条の内周面とカール部の外周面との間には若干の隙間が存在する場合を含む）、該環状密封突条の外周面と該シェルの該スカート壁との間には間隙が残留せしめられており、且つ該環状密封突条の下面は半径方向外方に向かって下方に傾斜せしめられている、ことを特徴とする組合せが提供される。
【０００９】
好ましくは、該ライナーの上面は少なくとも該環状密封突条が存在する外周縁部においては該シェルの該天面壁の内面に対して非接着状態であるのが好適である。
【発明の効果】
【００１０】
本発明の組合せにおいては、口頸部のカール部の外周面はその上端に最大外径部位を有し、その全体に渡って下方に向かって外径が漸次減少する逆円錐台形状であり、ライナーは外周縁部から下方に垂下する環状密封突条を有し、口頸部に容器蓋を装着した状態において、環状密封突条の内周面はその全体が該口頸部の該カールの外周面に密接せしめられている故に、容器の口頸部を開封する際には、破断ラインが破断された後に口頸部の密封が解除され、かくしてタンパーエビデント特性が確保される。また、口頸部に容器蓋を装着した状態において、環状密封突条の外周面と該シェルの該スカート壁との間には間隙が残留せしめられている故に、容器の口頸部から容器蓋を離脱して口頸部を開封する際の必要開封トルクを適切な値にせしめることができる。更に、口頸部に容器蓋を装着した状態において、環状密封突条の外周面と該シェルの該スカート壁との間には間隙が残留せしめられていると共に、環状密封突条の下面は半径方向外方に向かって下方に傾斜せしめられている故に、容器の口頸部から一旦離脱せしめた容器蓋を容器の口頸部に再装着して容器の口頸部を仮密封する際の必要仮密封トルクも適切な値にせしめることができる。
【発明を実施するための最良の形態】
【００１１】
以下、本発明に従って構成された組合せの好適実施形態を図示している添付図面を参照して、更に詳細に説明する。
【００１２】
図１には、本発明に従って構成された組合せの好適実施形態における容器の口頸部が図示されている。アルミニウム基合金薄板、クロム酸処理鋼薄板及びブリキ薄板の如き適宜の金属薄板から形成することができる容器は、全体を番号２で示す略円筒形状の口頸部を備えている。この口頸部２には、上端から下方に向かって順次にカール部４、下方に向かって外径が漸次増大する円錐台形状である肩部６、雄螺条８が形成されている雄螺条部１０、及び係止あご部１２が配設されている。カール部４は所謂外巻きカール形態であり、内周面１４、上面１６及び外周面１８を有する。縦断面図において、内周面は全体として半円形状であり、上方に向かって漸次半径方向内方に膨出し、次いで上方に向かって半径方向外方に後退している。上面は円弧状である。カール部４の外周面１８は、実質上逆円錐台形状であり、その上端に最大外径部位２０を有し、その全体に渡って下方に向かって外径が漸次減少せしめられている。図示の口頸部２は、そのカール部４の外周面１８が実質上逆円錐台形状である点において従来の口頸部と異なるが、その余の構成は従来の口頸部と実質上同一でよく、それ故に本明細書においては肩部６、雄螺条部１０及び係止あご部１２についての詳細な説明を省略する。
【００１３】
図２は、本発明に従って構成された組合せの好適実施形態における容器蓋を図示している。全体を番号２２で示す容器蓋は金属薄板製シェル２４と合成樹脂製ライナー２６とから構成されている。
【００１４】
アルミニウム基合金、クロム酸処理鋼薄板及びブリキ薄板の如き適宜の金属薄板から形成することができるシェル２４は、円形天面壁２８とこの天面壁２８の周縁から垂下する略円筒形状のスカート壁３０とを有する。スカート壁３０の下部には周方向に延びる破断ライン３２が配設されており、スカート壁３０は破断ライン３２よりも上方の主部３４と破断ライン３２よりも下方のタンパーエビデント裾部３６とに区画されている。更に詳述すると、スカート壁３０の下部には半径方向外方に膨出せしめられた環状膨出部３８が形成されており、かかる環状膨出部３８に適宜の間隔をおいて周方向に延びる複数個のスリット４０が形成されており、上記破断ライン３２は複数個のスリット４０とかかるスリット４０間に位置する複数個の橋絡部４２とによって規定されている。タンパーエビデント裾部３６は複数個の橋絡部４２を介して主部３４に接続されている。
【００１５】
スカート壁３０の主部３４における軸線方向略中間部には環状溝４４が形成されている。スカート壁３０の主部３４の上端部には、凹部４６と凸部４８が交互に存在する凹凸形状部が形成されている。そして、凹凸形状部の上端縁には周方向に間隔をおいて周方向に延びるスリット５０が形成されている。図２と共に図５を参照することに明確に理解できるとおり、スリット５０は凹部４６の上端縁全体に渡って延在せしめられており、凹部４６の上端部は半径方向内側に変位せしめられている。
【００１６】
図２を参照して説明を続けると、軟質ポリエチレンの如き適宜の合成樹脂から形成することができるライナー２６はシェル２４の天面壁２８の内面に配設されている。かかるライナー２６は、シェル２４の天面壁２８の内面に軟化乃至溶融状態の合成樹脂素材を供給し、この合成樹脂素材を所要形状に型押成形することによって好都合に形成することができる。ライナー２６の上面は少なくとも後述する環状密封突条が存在する領域において天面壁２８の内面に対して非接着状態であるのが好適であり、図示の実施形態においては番号５２で示す周縁領域においてはライナー２６の上面が天面壁２８の内面に対して非接着状態であり、番号５４で示す中央領域においてはライナー２６の上面が天面壁２８の内面に対して接着状態である。接着状態と非接着状態との生成は、ライナー２６の型押成形に先立って天面壁２８の内面にライナー２６を形成するための合成樹脂素材に対して接着性の被覆及び非接着性の被覆を選択的に配設することによって達成することができる。所望ならば、シェル２４とは全く別個にライナー２６を成形し、かかるライナー２６をシェル２４の天面壁２８の内面に配置し、そして必要に応じて適宜の接着剤によって天面壁２８に接着することもできる。
【００１７】
ライナー２６の中央領域は比較的薄肉であるが、ライナー２６の周縁領域は比較的厚肉であり、２条の突条、即ち外周縁部から下方に垂下する環状密封突条５６とこの環状密封突条５６から半径方向内方に離隔して下方に垂下する環状位置付け突条５８とが形成されている。環状密封突条５６の内周面５６ａ及び外周面５６ｂは円筒形状であり、下面５６ｃは半径方向外方に向かって幾分下方に傾斜せしめられている。環状位置付け突条５８の内周面５８ａは円筒形状であり、外周面５８ｂはその主部は円筒形状であるがその下端部は円弧形状であり下方に向かって外径が漸次低減せしめられており、下面５８ｃは実質上水平面である。
【００１８】
容器内に内容物を充填した後に、容器の口頸部２に容器蓋２２を装着して口頸部２を密封する際には、図３に図示する如く口頸部２に容器蓋２２を被嵌する。この際にはライナー２６の環状位置付け突条５８が口頸部２内に進入し、これによって口頸部２に対して容器蓋２２が同心状に位置付けされる。環状位置付け突条５８の外周面５８ｂの主部外径は口頸部２の最小内径と実質上同一或いはこれより若干小さいのが好適である。
【００１９】
次いで、図３と共に図４及び図５を参照することによって理解される如く、口頸部２に被嵌された容器蓋２２を下方に押圧した状態で、シェル２４の天面壁２８とスカート壁３０との境界領域を下方及び半径方向内方に没入せしめ、ライナー２６の環状密封突条５６の内周面５６ａを口頸部２のカール部４の外周面１８に密接せしめる。また、シェル２４のスカート壁２８の主部３４の環状溝４４以下の領域に、口頸部２の雄螺条８に対応して雌螺条６０を形成する。更に、シェル２４のスカート壁２８におけるタンパーエビデント裾部３６の下端部を半径方向内側に変形せしめて口頸部２の係止あご部１２に係止せしめる。
【００２０】
本発明に従って構成された組合せにおいては、容器の口頸部２に容器蓋２２を所要とおりに装着した図４及び図５に図示する状態において、ライナー２６の環状密封突条５６の内周面５６ａは、その実質上全体に渡って下方に向かって漸次内径が減少せしめられており、その実質上全体がカール部４の外周面に密接せしめられており（詳細には、図５を参照することによって理解される如く環状密封突条５６の内周面５６ａの軸線方向中間部において局部的に環状密封突条５６の内周面５６ａとカール部４の外周面１８との間には若干の隙間が存在する）、環状密封突条５６の下面５６ｃは半径方向外方に向かって下方に傾斜せしめられており、そして更に環状密封突条５６の外周面５６ｂとシェル２４のスカート壁３０との間には間隙６２が残留せしめられていることが重要である。環状密封突条５６の下面５６ｃの傾斜角度αは２０乃至５０度程度でよい。
【００２１】
容器の口頸部２を開封する際には、容器蓋２２を開封方向即ち図４において上方から見て反時計方向に回転せしめる。かくすると、シェル２４の雌螺条６０が口頸部２の雄螺条８に沿って移動し、従って容器蓋２２は回転と共に上昇せんとする。しかしながら、シェル２４のタンパーエビデント裾部３６は口頸部２の係止あご部１２に係止されている故に上昇が阻止され、従って破断ライン３２、更に詳しくはその橋絡部４２に相当な応力が生成され、橋絡部４２が破断されてタンパーエビデント裾部３６がスカート壁３０の主部３４から分離される。しかる後においては、容器蓋２２はシェル２４のタンパーエビデント裾部３６を除いて回転と共に上昇せしめられ、タンパーエビデント裾部３６を口頸部２に残留せしめて容器蓋２２が口頸部２から離脱され、かくして口頸部２が開封される。
【００２２】
而して、本発明に従って構成された組合せにおいては、ライナー２６の環状密封突条５６の内周面５６ａは、その実質上全体に渡って下方に向かって漸次内径が減少せしめられており、その実質上全体がカール部４の外周面に密接せしめられている。それ故に、破断ライン３２が切断されるのに先立って口頸部２に対して容器蓋２２が幾分上昇されても、環状密封突条５６の内周面５６ａは口頸部２のカール部４の外周面１８に密接され続け、破断ライン３２が破断される前に口頸部２の密封が解除されてしまうことは充分確実に回避される。また、ライナー２６の環状密封突条５６の外周面５６ｂとシェル２４のスカート壁３０との間には間隙６２が残留せしめられている故に、容器蓋２２が上昇せしめられる際にライナー２６の環状密封突条５６は充分容易に半径方向外方に撓むことができ、従って容器蓋２２を回転せしめるのに必要な開封トルクが過大になってしまうことが充分確実に回避される。
【００２３】
一旦開封した口頸部２に容器蓋２２を再び装着して口頸部２を仮密封する際には、図６及び図７に図示する如く、容器蓋２２を再び口頸部２に被嵌する。かくすると、ライナー２６の環状密封突条５６の下面５６ｃが口頸部２のカール部４の上面１６に当接せしめられる。しかる後に、容器蓋２２を閉回転方向、即ち図６において上方から見て時計方向に回転せしめる。かくすると、シェル２４の雌螺条６０が口頸部２の雄螺条８に沿って移動する故に、容器蓋２２は回転と共に下降せしめられ、図４及び図５に図示する如くライナー２６の環状密封突条５６の内周面５６ａが再び口頸部２のカール部４の外周面１８に密接せしめられ、口頸部２が仮密封される。本発明に従って構成された組合せにおいては、ライナー２６の環状密封突条５６の下面５６ｃは半径方向外方に向かって下方に傾斜せしめられている故に、図６及び図７に図示する状態から容器蓋２２が回転と共に下降せしめられる際にライナー２６の環状密封突条５６は半径方向外方に案内されてカール部４の上面１６を通過し、カール部４の外周面１８に沿って移動せしめられる。ライナー２６の環状密封突条５６の外周面５６ｂとシェル２４のスカート壁３０との間には間隙６２が残留せしめられている故に環状密封突条５６を充分容易に半径方向外方に撓むことができ、容器蓋２２を回転せしめるのに必要な仮密封トルクが過大になってしまうことが充分確実に回避される。
【図面の簡単な説明】
【００２５】
【図１】本発明に従って構成された組合せの好適実施形態における容器の口頸部を、一部を断面で示す正面図。
【図２】本発明に従って構成された組合せの好適実施形態における容器蓋を、一部を断面で示す正面図。
【図３】図１の口頸部に図２の容器蓋を被嵌した状態を、一部を断面で示す正面図。
【図４】図１の口頸部に図２の容器蓋を所要とおりに装着して口頸部を密封した状態を、一部を断面で示す正面図。
【図５】図１の口頸部に図２の容器蓋を所要とおりに装着して口頸部を密封した状態の一部を示す拡大断面図。
【図６】図１の口頸部に装着した図２の容器蓋を、口頸部から一旦離脱せしめた後に再び口頸部に被嵌した状態を、一部を断面で示す正面図。
【図７】図１の口頸部に装着した図２の容器蓋を、口頸部から一旦離脱せしめた後に再び口頸部に被嵌した状態の一部を示す拡大断面図。
【符号の説明】
【００２６】
２：口頸部
４：カール部
６：肩部
８：雄螺条
１０：雄螺条部
１８：カール部の外周面
２０：最大外径部位
２２：容器蓋
２４：シェル
２６：ライナー
２８：天面壁
３０：スカート壁
３２：破断ライン
３４：スカート壁の主部
３６：タンパーエビデント裾部
５６：環状密封突条
５６ａ：環状密封突条の内周面
５６ｂ：環状密封突条の外周面
５６ｃ：環状密封突条の下面
６０：雌螺条
６２：間隙
【図１】
0005038934.tif 000002
【図２】
0005038934.tif 000003
【図３】
0005038934.tif 000004
【図４】
0005038934.tif 000005
【図５】
0005038934.tif 000006
【図６】
0005038934.tif 000007
【図７】
0005038934.tif 000008